【事件の表示】
　平成　５年特許願第１４５７１２号「プリンタ」拒絶査定に対する審判事件［平成　６年１２月　２日出願公開、特開平　６−３３４９５４］について、次のとおり審決する。
【結　論】
　本件審判の請求は、成り立たない。
【理　由】
１　手続の経緯、本願発明
　本願は、平成５年５月２４日の出願であって、その請求項１に係る発明は、平成１４年５月１７日付け手続補正書により補正された明細書及び図面の記載からみて、本願特許請求の範囲の請求項１に記載されたとおりのものであるところ、その請求項１に記載された発明（以下、「本願発明」という。）は次のとおりである。
　「【請求項１】　画像再生装置から画像信号を取り込んでその画像をプリントするプリンタにおいて、
　画像再生装置から１コマの画像信号を取り込む１コマモードと連続したコマの画像信号を取り込むストロボモードとを択一的に選択するモード選択操作部と、
　前記ストロボモードを選択した時に前記連続したコマの個数Ｎを指定するコマ数設定操作部と、
　前記画像再生装置で画像を再生中に、前記１コマモードが選択されている時には一回の操作により任意のコマ位置を指定し、また、前記ストロボモードが選択されている時には最初の操作で取込み開始コマ位置を指定し二回目の操作で取込み終了コマ位置を指定するコマ位置設定ボタンと、
　前記ストロボモードが選択されている時に前記コマ位置設定ボタンで指定した２つのコマ位置と前記コマ数設定操作部で指定したコマ数ＮとからＮ個のコマの画像信号の取込み間隔を算出する算出手段と、
　前記コマ位置設定ボタンでの操作終了後に画像再生装置で再び画像を最初から再生し、前記１コマモードが選択されている時には前記コマ位置設定操作部で指定した１コマの画像信号を取り込んで記憶し、また、前記ストロボモードが選択されている時には前記取込み間隔に応じてＮ個のコマの画像信号を順に取り込み、取り込んだＮ個のコマの画像信号を間引き処理を行って縮小したＮ個の画像を１つの画面内に取り込んだ順に嵌め込み合成し、その合成画像をマルチストロボ画像として記憶する画像処理・記憶手段と、
　前記記憶手段に記憶した前記１コマの画像又はマルチストロボ画像を読み出してプリントするプリント手段と、
　を備えたことを特徴とするプリンタ。」
　
２　引用例に記載された発明
　原査定の拒絶の理由で引用された特開平１−１８８０８３号公報（平成１年７月２７日出願公開、以下「引用例１」という。）には、
（ア）　「テープ再生時に任意に始点と終点を指定する手段と、所定の画面分割数を基に上記始点から終点までを時間割りする手段と、再度のテープ再生時に上記時間割りされた時点に画面を記憶しビデオ出力とする手段とを備えたことを特徴とするビデオテープレコーダ。」（特許請求の範囲、公報１頁左下欄５行〜１１行）が記載され、さらに、具体的に、
（イ）　「本発明は、始点と終点を自由自在に指定できるようにし、その始点と終点の間を所定の画面分割数を基に時間割りをして、再度のテープ再生時にその時間割りされた時点の画面を記憶し、一枚の画面として出力することにより、複数画面の編集を容易にする。」（公報２頁右上欄１３行ないし１８行）、
（ウ）　「本実施例のビデオテープレコーダは、以下のものを備えて構成される。１は記録／再生用のヘッド、（中略）５はデジタル画像記憶用のビデオメモリ、（中略）９はアドレスメモリ処理回路、１０は全体をコントロールするシステムコントロール回路（中略）である。」（公報２頁左下欄５行ないし１５行）、
（エ）　「アドレスメモリ処理回路９は、スタートマークスイッチ１２とエンドマークスイッチ１３を備え、さらにテープのアドレスカウンタやメモリを有して、各スイッチ１２，１３が押されたときに、スタートアドレスＡｓとエンドアドレスＡｅを内部のメモリに記憶する」（公報２頁右下欄２行ないし８行）、
（オ）　「システムコントロール回路１０は、エンドマークスイッチ１３が押され、エンドマークをテープ上に記録した後に、自動的に巻き戻しを行いスタートマークを検出する。（中略）システムコントロール回路１０は、スタートマークを検出すると、再生モードとし、アドレスメモリ処理回路９に対しテープアドレスをスタートアドレスＡｓから所定クロックまたはアドレスカウント用信号などでカウントさせ、さらにビデオメモリに対しては、スタートマークを検出した時点からその後のテープアドレスがＡｓ＋ｎ・Δとなる全ての時点を経てエンドマークが検出される時点まで、各時点のビデオプロセス回路４からの出力画面を書き込ませる。上記においてｎは整数であり、Δは画面分割数をＮとして
　Δ＝（Ａｅ−Ａｓ）／（Ｎ−１）・・・（１）
で求めたテープアドレスをスタートマークよりエンドマークまで画面分割数Ｎで時間割りした単位アドレス長であり、上記時間割りはアドレスメモリ処理回路５で処理される。前述の再生モード中においてビデオ出力スイッチ６は、システムコントロール回路１０によりビデオメモリ５の出力側に切り換えられて、１枚の画面に納められたＮ個の分割画面が出力される。分割画面数Ｎはシステムコントロール回路１０への指示により自由に変えることができる。」（公報２頁右下欄１８行ないし３頁右上欄５行）、
（カ）　「記録アンプ１１を省略し、アドレスメモリ処理回路９のアドレスカウント処理のみで、巻き戻して再生し、時間割りを行ってビデオメモリにＮ個の分割画面を書き込み、ビデオ出力とすることも可能である。」（公報３頁右上欄６行ないし１０行）、
（キ）　「第２図は、本実施例のビデオテープレコーダ（ＶＴＲ）の使用例を示す図で、ハードコピーを可能にした例である。ＶＴＲ１４のビデオ出力はビデオ端子付のテレビジョン受像機１５とハードコピープリンター１６に分配され、前述のＮ個の分割画面（図例ではＮ＝９）がテレビジョン受像機１５に表示されるとともに、ハードコピープリンタ１６により、第３図のハードコピー例に示すような印刷を可能とすることができる。」（公報３頁右上欄１１行ないし１９行、第３図）と記載され、第３図には、縮小した９個の画像を１つの画面内に書き込んだ順に嵌め込み合成した合成画像のプリント例が示されている。
　
３　本願発明と引用例との対比・判断
（１）対比
　本願発明と引用例１に記載された発明とを対比すると、引用例１の「分割画面」「画面分割数Ｎ」「ビデオメモリ」は、それぞれ本願発明の「マルチストロボ画像」「コマの個数Ｎ」「記憶手段」に相当している。
　引用例１に記載された発明では、「分割画面数Ｎはシステムコントロール回路１０への指示により自由に変えることができる」（上記（オ）参照）ので、引用例１に記載された発明は、本願発明の「コマ数設定操作部」に相当する操作部を実質的に備えている。
　引用例１に記載された発明は、「テープ再生時に任意に始点と終点を指定する手段」を備えているので、画像再生装置で画像を再生中に、取込開始コマ位置を指定し、取込終了コマ位置を指定するコマ位置設定手段を備えている。
　引用例１に記載された発明は、「所定の画面分割数を基に上記始点から終点までを時間割りする手段」を備えているので、コマ位置設定手段で指定した２つのコマ位置とコマ数設定操作部で指定したコマ数ＮとからＮ個のコマの画像信号の取込み間隔を算出する算出手段を備えている。
　引用例１に記載された発明は、「再度のテープ再生時に上記時間割りされた時点に画面を記憶しビデオ出力とする手段」を備えていて、具体的には、「システムコントロール回路１０」が、ビデオメモリに対しては、スタートマークを検出した時点からその後のテープアドレスがＡｓ＋ｎ・Δとなる全ての時点を経てエンドマークが検出される時点まで、各時点のビデオプロセス回路４からの出力画面を書き込ませ、ビデオメモリ５には１枚の画面に納められたＮ個の分割画面が記憶され（上記（オ）参照）、この分割画面は、第３図に例示されるような、縮小したＮ個の画像を１つの画面内に取り込んだ順に嵌め込み合成した合成画像である（上記（キ）参照）。ここで、縮小画像は、間引き処理により通常得られることが明かである。よって、引用例１に記載された発明は、コマ位置設定手段での操作終了後に画像再生装置で再び画像を最初から再生し、取込み間隔に応じてＮ個のコマの画像信号を順に取り込み、取り込んだＮ個のコマの画像信号を間引き処理を行って縮小したＮ個の画像を１つの画面内に取り込んだ順に嵌め込み合成し、その合成画像をマルチストロボ画像として記憶する画像処理・記憶手段を、備えている。
　
　よって、本願発明と引用例１に記載された発明は、
「マルチストロボ画像を得るための装置であって、
　連続したコマの個数Ｎを指定するコマ数設定操作部と、
　画像を再生中に、マルチストロボ画像を得るために、取込み開始コマ位置を指定し、取込み終了コマ位置を指定するコマ位置設定手段と、
　前記コマ位置設定手段で指定した２つのコマ位置と前記コマ数設定操作部で指定したコマ数ＮとからＮ個のコマの画像信号の取込み間隔を算出する算出手段と、
　前記コマ位置設定手段での操作終了後に画像再生装置で再び画像を最初から再生し、前記取込み間隔に応じてＮ個のコマの画像信号を順に取り込み、取り込んだＮ個のコマの画像信号を間引き処理を行って縮小したＮ個の画像を１つの画面内に取り込んだ順に嵌め込み合成し、その合成画像をマルチストロボ画像として記憶する画像処理・記憶手段とを備える装置。」
　である点で共通し、以下の相違点で一応相違している。
　（相違点１）　本願発明は、プリンタに係る発明で、「画像再生装置から画像信号を取り込んでその画像をプリントするプリンタ」で、「記憶手段に記憶した画像を読み出してプリントするプリント手段」を備えるのに対し、引用例１に記載された発明は、「ビデオテープレコーダ」に係るもので、プリンタを接続して記憶手段の画像を出力してプリントするものである点。
　（相違点２）　本願発明は、「１コマの画像信号を取り込む１コマモードと連続したコマの画像信号を取り込むストロボモードとを択一的に選択するモード選択操作部」を備え、上記「コマ位置設定手段」が、「画像を再生中に、１コマモードが選択されている時には一回の操作により任意のコマ位置を指定し、また、ストロボモードが選択されている時には最初の操作で取込み開始コマ位置を指定し二回目の操作で取込み終了コマ位置を指定するボタン」であり、上記「画像処理・記憶手段」が、「前記１コマモードが選択されている時には前記コマ位置設定操作部で指定した１コマの画像信号を取り込んで記憶」するのに対し、引用例１に記載された発明では、特に記載されていない点。
　
（２）相違点についての判断
（相違点１について）
　引用例１に記載された発明は、「ビデオテープレコーダ」に係るものであるが、プリンタを接続して記憶手段の画像を出力してプリントするための画像の作成機能を、一般的なビデオテープレコーダに設けたものである。
　ビデオテープレコーダの出力をプリンタに取り込んでプリントする周知のプリンタにおいて、プリントする画像の作成機能をビデオテープレコーダ側に設けるか、プリンタ側に設けるかは適宜選択されるべきことである（例えば原審で周知例として引用された特開平２−１１９４８０号参照）ので、引用例１におけるマルチストロボ画像の作成を行うための構成を、プリンタが備える構成とすることは当業者が容易に想到しうることである。
（相違点２について）
　引用例１には、マルチストロボ画像である分割画面についての記載しかないが、画像再生中に希望する１コマを指定し、指定された１コマの画面を記憶し、これを読み出しプリントすることは、ビデオテープレコーダの出力をプリンタに取り込んでプリントするものにおいて、最も基本的な機能であるから、引用例１に記載された発明の装置に、１コマモードとマルチストロボモードのモードをもたせることは当業者が適宜なし得ることであり、また、異なるモードにおける類似設定操作のためにボタンを共通にすることや２つのスイッチの操作を共通のボタンで行うようにする程度のことは、操作部の機能において周知の技術にすぎない（必要とあれば、例えば特開平３−１６５６７９号公報等参照）から、引用例１に記載された発明において、モード選択に応じたコマ位置設定を共通の操作ボタンで行わせることも、当業者が必要に応じ適宜なし得ることである。
　したがって、本願発明が相違点２において格別のものであるとすることはできない。
　
　上記相違点１及び２を総合的に検討しても、本願発明の効果は、引用例１に記載された発明から当業者であれば予測される範囲内であるので、上記相違点は、当業者が容易に想到し得たものである。
　
４　むすび
　したがって、本願発明は、本願出願前に頒布された刊行物である引用例に記載された発明に基いて当業者が容易に発明をすることができたものであるから、本願発明は、特許法第２９条第２項の規定により特許を受けることができない。
　よって、結論のとおり審決する。